(57)【要約】【課題】風による水晶発振器の出力周波数特性への影響を抑える。【解決手段】少なくとも恒温槽１０と恒温槽１０内に設けられた水晶振動子１１を内部に有する水晶発振器１００と、水晶発振器１００の外部に設けられた風速センサー２０と、水晶発振器１００の外部に設けられた補助ヒーター回路２１を有する水晶発振器１００の温度制御装置である。風速センサー２０により一定値以上の風速を検出したときに、補助ヒーター回路２１により水晶発振器１００に対して熱を加える。【選択図】図１
2012227629.tif 000002
【特許請求の範囲】
【請求項１】
少なくとも恒温槽と、この恒温槽内に設けられた水晶振動子を内部に有する水晶発振器と、
前記水晶発振器の外部に設けられた風速センサーと、
前記水晶発振器の外部に設けられたヒーターを有し、
前記風速センサーにより一定値以上の風速を検出したときに、前記ヒーターにより前記水晶発振器に対して熱を加えることを特徴とする水晶発振器の温度制御装置。
【請求項２】
前記水晶発振器は、ケースで覆われており、
前記ヒーターの熱は、このケースの表面に加えられることを特徴とする請求項１に記載の水晶発振器の温度制御装置。
【請求項３】
前記ケースの表面に熱を加えることにより、前記ケースの表面温度を上昇させて熱遮蔽効果を高めることを特徴とする請求項２に記載の水晶発振器の温度制御装置。
【請求項４】
前記熱遮蔽効果により前記水晶振動子の動作温度を一定に保って、風による前記晶発振器の出力周波数特性への影響を抑えることを特徴とする請求項３に記載の水晶発振器の温度制御装置。
【請求項５】
請求項１〜４のいずれか１項に記載の前記水晶発振器の温度制御装置を有することを特徴とする無線基地局装置。
【請求項６】
少なくとも恒温槽と、この恒温槽内に設けられた水晶振動子を内部に有する水晶発振器の温度制御方法であって、
前記水晶発振器に外部から当たる風の風速を検出し、
前記検出した風速が一定値以上のときに、前記水晶発振器に対して熱を加えることを特徴とする水晶発振器の温度制御方法。
【請求項７】
前記水晶発振器は、ケースで覆われており、
前記熱は、このケースの表面に加えられることを特徴とする請求項６に記載の水晶発振器の温度制御方法。
【請求項８】
前記ケースの表面に熱を加えることにより、前記ケースの表面温度を上昇させて熱遮蔽効果を高めることを特徴とする請求項７に記載の水晶発振器の温度制御方法。
【請求項９】
前記熱遮蔽効果により前記水晶振動子の動作温度を一定に保って、風による前記晶発振器の出力周波数特性への影響を抑えることを特徴とする請求項８に記載の水晶発振器の温度制御方法。
【発明の詳細な説明】
【技術分野】
【０００１】
本発明は、恒温槽内に設けられた水晶振動子を有する水晶発振器の温度制御装置及び温度制御方法に関する。
【背景技術】
【０００２】
一般的に、無線基地局装置は、無線基地局制御装置に接続されている伝送路からの抽出クロック信号に同期して動作している。無線基地局制御装置は周波数安定度の非常に高い水晶発振器を搭載しているため、無線基地局装置を無線基地局制御装置から送られてくる伝送路からの抽出クロック信号に同期させるように動作させれば、無線基地局装置に搭載される水晶発振器も出力周波数安定度を高く保ち続けることが可能である。
【０００３】
しかし、無線基地局装置と無線基地局制御装置との伝送路にＩＰ（Ｉｎｔｅｒｎｅｔ  Ｐｒｏｔｏｃｏｌ）伝送路を使用する場合がある。この場合、無線基地局装置は伝送路からの抽出クロック信号に同期するように動作させることができないため、無線基地局装置に搭載された水晶発振器が自走して動作することになる。
【０００４】
従って、このようなネットワーク環境下で使用される可能性があることを考慮すると、無線基地局装置に搭載される水晶発振器にも無線基地局制御装置に搭載される水晶発振器と同様に、高安定の水晶発振器を搭載する必要性が発生し、一般的には周波数安定度の非常に高い恒温槽付水晶発振器が搭載されていることが多い。
【０００５】
ここで、水晶発振器に関する技術としては、例えば、特開２０１０−２２０１５２号公報（特許文献１）などがある。
【先行技術文献】
【特許文献】
【０００６】
【特許文献１】特開２０１０−２２０１５２号公報
【発明の概要】
【発明が解決しようとする課題】
【０００７】
しかしながら、上記恒温槽付水晶発振器には以下のような問題がある。
【０００８】
すなわち、恒温槽付水晶発振器はその内部に恒温槽及びヒーター回路を搭載する発熱部品であり、一般的には風による出力周波数特性への影響を受けやすくなる。
【０００９】
具体的に説明すると、恒温槽付水晶発振器は内部の恒温槽及びヒーター回路の発熱により水晶振動子の動作温度を常時一定（通常８０℃以上）に保ち、外部周囲温度の変化による出力周波数の変化量が最も小さくなるように動作している。このため、通常は、恒温槽付水晶発振器には装置内ファンなどの風が直接当たらないようにするなど使い方に注意する必要がある。
【００１０】
そのため、恒温槽付水晶発振器に強い風が当たる環境下になると、恒温槽付水晶発振器のケース表面を介して内部の熱が奪われ、水晶振動子の動作温度を一定に保つことができなくなるという問題がある。
【００１１】
水晶振動子の動作温度を一定に保てないことにより、恒温槽付水晶発振器の出力周波数安定度が劣化し、最終的には無線基地局装置の通信エラーにつながることになる。
【００１２】
本発明の目的は、上述した従来技術の課題を解決するための技術を提供することにあり、風による水晶発振器の出力周波数特性への影響を抑えることが可能な水晶発振器の温度制御装置及び温度制御方法を提供することにある。
【課題を解決するための手段】
【００１３】
本発明に係る水晶発振器の温度制御装置は、
少なくとも恒温槽と、この恒温槽内に設けられた水晶振動子を内部に有する水晶発振器と、
前記水晶発振器の外部に設けられた風速センサーと、
前記恒温槽付水晶発振器の外部に設けられたヒーターを有し、
前記風速センサーにより一定値以上の風速を検出したときに、前記ヒーターにより前記恒温槽付水晶発振器に対して熱を加えることを特徴とする。
【００１４】
また、本発明は、少なくとも恒温槽と、この恒温槽内に設けられた水晶振動子を内部に有する水晶発振器の温度制御方法であって、
前記水晶発振器に外部から当たる風の風速を検出し、
前記検出した風速が一定値以上のときに、前記恒温槽付水晶発振器に対して熱を加えることを特徴とする。
【発明の効果】
【００１５】
本発明によれば、風による水晶発振器の出力周波数特性への影響を抑えることができる。
【図面の簡単な説明】
【００１６】
【図１】本発明に係る水晶発振器の温度制御装置の構成を示す図である。
【発明を実施するための形態】
【００１７】
次に、本発明の実施の形態について図面を参照して詳細に説明する。
【００１８】
図１を参照して、本発明の実施の形態に係る水晶発振器の温度制御装置の構成について説明する。
【００１９】
水晶発振器１００の内部には、恒温槽１０、水晶振動子１１、ヒーター回路１２、周波数制御回路１３、発振回路１４、アンプ回路１５、バッファ回路１６、電源回路１７が設けられている。尚、水晶発振器１００は、ケース２００で覆われている。水晶振動子１１は恒温槽１０の内部に搭載されている。
【００２０】
水晶発振器１００には、制御電圧信号１８が入力され、周波数制御回路１３、発振回路１４、アンプ回路１５及びバッファ回路１６を介して、出力信号１９を生成する。
【００２１】
一方、水晶発振器１００の外部には、風速センサー２０と補助ヒーター回路２１が設けられている。
【００２２】
水晶発振器１００は、恒温槽１０及びヒーター回路１２の発熱により水晶振動子１１の動作温度を常時一定に保ち、外部周囲温度変化による出力周波数の変化量が最も小さくなるように動作している。このため、周波数安定度の非常に高い出力信号１９を生成することができる。
【００２３】
水晶発振器１００の外部に設けられた風速センサー２０は、一定以上の風速を検出する機能を有する。水晶発振器１００の外部に設けられた補助ヒーター回路２１は、風速センサー２０が一定以上の風速を検出した場合に水晶発振器１００のケース２００の表面に熱を加える機能を有している。
【００２４】
次に、図１を参照して、本発明の実施の形態に係る水晶発振器の温度制御装置の動作について説明する。
【００２５】
外部環境が安定している状態においては、水晶発振器１００はそれ単体で周波数安定度の非常に高い出力信号１９を生成することができる。しかし、水晶発振器１００はその内部に恒温槽１０及びヒーター回路１２を搭載する発熱部品であるため、一般的には風による出力周波数特性への影響を受けやすくなる。そのため、例えば、水晶発振器１００に装置内ファン（図示せず）などの強い風が当たる環境下になると、水晶発振器１００のケース２００の表面を介して内部の熱が奪われ、水晶振動子１１の動作温度を一定に保つことができなくなる場合があり、最終的に水晶発振器１００の出力信号１９の周波数安定度が劣化してしまう。
【００２６】
このような問題点に鑑みて、本発明の実施の形態では、水晶発振器１００の外部に風速センサー２０と補助ヒーター回路２１を設けて、強い風が当たる環境下での対策機能を有している。
【００２７】
すなわち、風速センサー２０により水晶発振器１００に当たる一定以上の風速を検出し、風速センサー２０で一定以上の風速を検出した際には補助ヒーター回路２１を駆動させ、水晶発振器１００のケース２００の表面に熱を加えるように動作させる。
【００２８】
このように、補助ヒーター回路２１により水晶発振器１００のケース２００の表面に熱を加えるように動作させることで、水晶発振器１００のケース２００の表面温度を上昇させ、水晶発振器１００の内部と外部の熱抵抗を大きくして熱遮蔽効果を高める。
【００２９】
そのため、風の影響により水晶発振器１００の内部の熱が奪われることを防止することができ、水晶発振器１００の出力周波数特性への影響を最小限に抑える。
【００３０】
以上説明したように、本発明の実施の形態では、風速センサー２０により一定以上の風速を検出し、風速センサー２０で一定以上の風速を検出した際には補助ヒーター回路２１を駆動させ、水晶発振器１００のケース２００の表面に熱を加えるように動作させる。これにより、水晶発振器１００の内部と外部の熱抵抗を大きくして熱遮蔽効果を高め、風の影響により水晶発振器１００の内部の熱が奪われることを防止することができる。このように、既存の水晶発振器１００の設計を変更することなく、風の影響による水晶発振器１００の出力周波数特性への影響を最小限に抑えることができる。
【００３１】
次に、本発明の他の実施の形態について説明する
本発明の他の実施の形態では、図１に示した本発明の実施の形態に係る水晶発振器の温度制御装置（水晶発振器１００、風速センサー２０及び補助ヒーター回路２１）を無線基地局装置（図示せず）内に装備する。
【００３２】
上述のように、無線基地局装置と無線基地局制御装置との伝送路にＩＰ（Ｉｎｔｅｒｎｅｔ  Ｐｒｏｔｏｃｏｌ）伝送路を使用する場合がある。この場合、無線基地局装置は伝送路からの抽出クロック信号に同期するように動作させることができないため、無線基地局装置に搭載された水晶発振器が自走して動作することになる。
【００３３】
従って、このようなネットワーク環境下で使用される可能性があることを考慮すると、無線基地局装置に搭載される水晶発振器にも無線基地局制御装置に搭載される水晶発振器と同様に、高安定水晶発振器を搭載する必要性が発生し、周波数安定度の非常に高い水晶発振器が要求される。
【００３４】
このような要求を満たすために、本発明の実施の形態に係る水晶発振器の温度制御装置（水晶発振器１００、風速センサー２０及び補助ヒーター回路２１）を無線基地局装置内に装備する。このようにすれば、装置内ファンなどの風の影響による水晶発振器１００の出力周波数特性への影響を最小限に抑えることができる。
【００３５】
以上、本発明の実施の形態について具体的に説明したが、本発明は上述の実施形態に限定されるものではなく、本発明技術的思想に基づく各種の変形が可能である。
【００３６】
例えば、上記他の実施の形態では、図１に示した本発明の実施の形態に係る水晶発振器の温度制御装置（水晶発振器１００、風速センサー２０及び補助ヒーター回路２１）を無線基地局装置内に装備したが、本発明はこれに限定されず、周波数安定度の非常に高い水晶発振器の要求があれば、他の装置内に装備しても良い。
【符号の説明】
【００３７】
１０  恒温槽
１１  水晶振動子
１２  ヒーター回路
１３  周波数制御回路
１４  発振回路
１５  アンプ回路
１６  バッファ回路
１７  電源回路
１８  制御電圧信号
１９  出力信号
２０  風速センサー
２１  補助ヒーター回路
１００  水晶発振器
２００  ケース
【図１】
2012227629.tif 000003